(57)【特許請求の範囲】
【請求項１】
甲当て部とベルト部を有し、前記甲当て部には前記ベルト部を通すためのそれぞれ入口と出口を構成する、前記ベルト部から近い側に設けられた第１のベルト通し穴と前記ベルト部から遠い側に設けられた第２のベルト通し穴が設けられ、前記ベルト部と前記甲当て部には各々設けられた１対の結合手段を有し、前記ベルト部に設けられた側の結合手段は、前記第１のベルト通し穴と第２のベルト通し穴が設けられた面に対して裏面側にあり、前記甲当て部に設けられた側の結合手段は、前記第１のベルト通し穴と第２のベルト通し穴の間に設けられ、前記ベルト部と前記甲当て部が一体的に構成されたグリップベルトであって、
使用時は前記ベルト部の先端を撮像装置に設けられた第１のベルト取り付け部に通した後に、前記第１のベルト通し穴に通し、さらに前記第２のベルト通し穴から表出させてから、前記撮像装置に別に設けられた第２のベルト取り付け部に前記ベルト部の先端を通した後、前記ベルト部と前記甲当て部を前記結合手段によって結合させた状態で前記甲当て部が移動可能なように取り付けられることを特徴とするグリップベルト。
【請求項２】
前記結合手段は面ファスナーであることを特徴とする請求項１に記載のグリップベルト。
【請求項３】
請求項１または２に記載のグリップベルトを有する撮像装置。
【発明の詳細な説明】
【技術分野】
【０００１】
本発明は撮像装置に用いられるグリップベルトに関するものである。
【背景技術】
【０００２】
一般的なビデオカメラには、図６に示すようなグリップベルト６０１が多く取り付けられている。このグリップベルト６０１はビデオカメラ６０２を安定して把持するために設けられたものである。ビデオカメラ６０２の使用者は、グリップベルト６０１とビデオカメラ６０２の本体の間に手６０３を通して、グリップベルト６０１が手６０３の甲を支えるように把持する。このように、手６０３の甲を支えることによって、安定した撮影が可能となる。
【０００３】
近年、デジタルビデオカメラの小型化が進み、グリップベルトを使わなくてもある程度の安定した撮影が可能になってきた。しかし、使用者によってはグリップベルトを必要とする場合もあるため、脱着可能なグリップベルトの開発が求められている。
【０００４】
従来例として、脱着可能なビデオカメラ用グリップベルトを３例紹介する。
【０００５】
図３（ａ）〜（ｃ）には面ファスナーを両端に用いたグリップベルトを図示する。
この方式は、ベルト部３０１、３０３と甲当て部３０２からなるグリップベルトで、ベルト部３０１をビデオカメラ本体のベルト取り付け部３０４に設けられたベルト通し穴３０５に通し、ベルト部３０３を本体の別のベルト取り付け部３０６に設けられたベルト通し穴３０７にそれぞれ通す。そして、図３（ｂ）に示す通り、甲当て部３０２上に設けられた面ファスナーフック起毛部３１０と、ベルト部３０１上の面ファスナーループ起毛部３０８およびベルト部３０３上の面ファスナーループ起毛部３０９をそれぞれ結合してグリップベルトを構成する。
【０００６】
図４には日の字環４０１を使用したグリップベルトを示す。
グリップベルトはベルト部４０２、４０４と甲当て部４０３から構成されている。ビデオカメラ本体への取り付けは、ベルト部４０４側は前述の図３と同様に、面ファスナーで結合されている。ベルト部４０２側は、ベルト部４０２の先端を日の字環４０１に対して、図４（ｃ）の断面図に示すように通した後に、ベルト取り付け部４０５上のベルト通し穴４０６に通して、さらに日の字環４０１に図の如く通す。ベルト部４０２は日の字環４０１内でベルト部同士の摩擦力によって結合がなされている。
【０００７】
図５には専用の取り付け部を設けたグリップベルトを示す。
この方式のグリップベルトはベルト部５０１に縫い付けられた連結部５０５と、甲当て部５０２、ベルト部５０３からなり、ベルト部５０３側は前述２例と同様、面ファスナーによって結合される。ベルト部５０１側は、連結部５０５と連結する連結受け部５０４がビデオカメラ本体に設けてある。この連結部５０５と連結受け部５０４が結合されることで、グリップベルトとビデオカメラが結合される。
【０００８】
また、引用文献１には、外側のベルト体の内面にラック歯を形成してこのラック歯をバックル体に嵌めた操作レバーの起伏操作にて係脱可能に係止させるようにしたグリップベルトが開示されている。
【特許文献１】実開平５−５３５１９
【発明の開示】
【発明が解決しようとする課題】
【０００９】
しかしながら、図３の方式では、図３（ｂ）のようにベルトを上下に重ねるか、図３（ｃ）のように両端を短く結合する必要がある。上下に重ねると、面ファスナーの面積を多く必要とするため小型化できない。また、両端を短く結合すると結合面積が少ないため、外れやすいといった問題がある。また、甲当ての位置を移動するためには、面ファスナーループ起毛部３０９と面ファスナーループ起毛部３０８が、面ファスナーフック起毛部３１０に結合している長さをそれぞれ変更する必要がある。面ファスナーの結合長さを変更するためには、その都度面ファスナーの結合を剥がす必要がある。従って、甲当て部３０２の位置を手に合わせて移動することが煩わしいという問題がある。
【００１０】
また、図４の方式では日の字環４０１を用いるため、部材が１つ増えてしまう。また、日の字環４０１が手に当り使用者に不快感を与えるとともに、日の字環４０１の強度を増すために肉厚を取る必要があるので、小型化を阻害している。また、甲当て部４０３の位置を移動するためには、面ファスナーループ起毛部４０９と、甲当て部の面ファスナーフック起毛部４１０に結合している長さを変更する必要があるとともに、日の字環４０１に通すベルト部４０２の長さを調節する必要がある。面ファスナーの結合長さを変更するためには、その都度面ファスナーの結合を剥がす必要がある。従って、甲当て部４０３の位置を手に合わせて移動することが煩わしいという問題がある。
【００１１】
また、図５の方式では、連結部に２つの部材を用いているので、部材が増えてしまうという問題がある。また、甲当て部５０２の位置を移動するためには、面ファスナーループ起毛部５０８と、甲当て部５０２の面ファスナーフック起毛部５０９に結合している長さを変更する必要がある。面ファスナーの結合長さを変更するためには、その都度面ファスナーの結合を剥がす必要がある。従って、甲当て部５０２の位置を手に合わせて移動することが煩わしいという問題がある。
【００１２】
上記３例に共通しているのは、甲当て部を挟んだ両端にそれぞれのベルトを結合する手段を必要としていることである。両端に結合する手段を要すると言うことは、構成する部材が必要になるとともに、甲当て部の移動が煩わしいという問題がある。
【００１３】
本発明における撮像装置に用いられるグリップベルトは上記のような課題を鑑み、構成する部材が少なく、小型で、且つ甲当て部の移動が容易に行えることを目的とする。
【課題を解決するための手段】
【００１４】
本発明におけるグリップベルトは、甲当て部とベルト部を有し、前記甲当て部には前記ベルト部を通すためのそれぞれ入口と出口を構成する、前記ベルト部から近い側に設けられた第１のベルト通し穴と前記ベルト部から遠い側に設けられた第２のベルト通し穴が設けられ、前記ベルト部と前記甲当て部には各々設けられた１対の結合手段を有し、前記ベルト部に設けられた側の結合手段は、前記第１のベルト通し穴と第２のベルト通し穴が設けられた面に対して裏面側にあり、前記甲当て部に設けられた側の結合手段は、前記第１のベルト通し穴と第２のベルト通し穴の間に設けられ、前記ベルト部と前記甲当て部が一体的に構成されたグリップベルトであって、使用時は前記ベルト部の先端を撮像装置に設けられた第１のベルト取り付け部に通した後に、前記第１のベルト通し穴に通し、さらに前記第２のベルト通し穴から表出させてから、前記撮像装置に別に設けられた第２のベルト取り付け部に前記ベルト部の先端を通した後、前記ベルト部と前記甲当て部を前記結合手段によって結合させた状態で前記甲当て部が移動可能なように取り付けられることを特徴としている。
【００１５】
また、本発明の他の特徴とするところは、前記第１のベルト通し穴はベルト部から近い側に設けられ、第２のベルト通し穴はベルト部から遠い側に設けられることを特徴としている。
【００１６】
また、本発明のその他の特徴とするところは、前記ベルト部に設けられた結合手段は、前記第１のベルト通し穴と第２のベルト通し穴が設けられた面に対して裏面側にあることを特徴としている。
【００１７】
また、本発明のその他の特徴とするところは、前記甲当て部に設けられた結合手段は、前記第１のベルト通し穴と第２のベルト通し穴の間に設けられることを特徴としている。
【００１８】
また、本発明のその他の特徴とするところは、前記結合手段は面ファスナーであることを特徴としている。
【発明の効果】
【００１９】
以上説明したように、本発明によれば、構成する部材が少なく小型で、且つ着脱容易であって、甲当て部の移動が容易に行えるグリップベルトが提供できる。
【発明を実施するための最良の形態】
【００２０】
以下、本発明を実施するための形態に関して説明する。
【実施例１】
【００２１】
図１に本実施例におけるビデオカメラ１０１の斜視図を示す。図１（ａ）はビデオカメラ１０１のみの図、図１（ｂ）には使用者がグリップベルト部１０８に手を通して把持している様子をそれぞれ示す。本実施例におけるビデオカメラ１０１のベルト取り付け構造・グリップベルト部１０８を総称してグリップベルトとする。
【００２２】
図１（ａ）の１０２はビデオカメラ１０１の撮影レンズ開口部で、ここでは本体における撮影レンズ開口部１０２側（図上右側）をビデオカメラ１０１の前方と定義する。従って、反対側である図上左側を後方と定義する。また、図の上側を本体の上側、図の下側を本体の下側と定義する。
【００２３】
ビデオカメラ１０１の後方下側には、「後ベルト取り付け部１０３（第１のベルト取り付け部）」が設けられ、この「後ベルト取り付け部１０３」には「後ベルト通し穴Ｃ１０４」が形成されている。同様に、ビデオカメラ１０１の前方下側には、「前ベルト取り付け部１０５（第２のベルト取り付け部）」が設けられ、この「前ベルト取り付け部１０５」には「前ベルト通し穴Ｄ１０６」が形成されている。
【００２４】
ビデオカメラ１０１の使用者は、手１０７によって、ビデオカメラ１０１を把持する。そして、図１（ｂ）に示す如く把持した手１０７の甲を支えるように、グリップベルト部１０８を「後ベルト取り付け部１０３」と「前ベルト取り付け部１０５」に跨ってつなぐ。
【００２５】
次に図２を用いて、グリップベルト部１０８のビデオカメラ１０１本体に対する取り付け方を詳説する。図２（ａ）〜（ｉ）はグリップベルト部１０８の詳細を示している。図２では説明のためにビデオカメラ１０１の本体は省略して、「後ベルト取り付け部１０３」と「前ベルト取り付け部１０５」のみを図示している。
【００２６】
図２（ａ）はグリップベルト部１０８の展開図である。グリップベルト部１０８はベルト部２０１と甲当て部２０２に大別される。甲当て部２０２のベルト部２０１側には、ベルト通し穴Ａ２０３（第１のベルト通し穴）が設けられている。甲当て部２０２のベルト部２０１と反対側にはベルト通し穴Ｂ２０４（第２のベルト通し穴）が設けられている。ベルト通し穴Ａ２０３とベルト通し穴Ｂ２０４は、図２（ｂ）に示す甲当て部２０２中央付近の断面図に示す如く設けられたベルト通し部２０５の、入口及び出口を構成する開口部である。ベルト通し部２０５は図２（ｂ）のような筒状または、図２（ｃ）のような甲当て部２０２に沿った空間２０６で構成されている。また、甲当て部２０２のベルト通し穴Ａ２０３とベルト通し穴Ｂ２０４の間には面ファスナーフック起毛部２０７が取り付けられている。面ファスナーは、脱着可能な布製品に多く用いられている結合部材で、フック状に起毛された面と、ループ状に起毛された面とが合わせられることによって、面と面を結合する部材である。
【００２７】
グリップベルト部１０８をビデオカメラ１０１に取り付けるために、まず図２（ｄ）の通り、「後ベルト通し穴Ｃ１０４」にベルト先端部２０８を通す。ベルト部２０１には裏面側に、面ファスナーループ起毛部２０９が取り付けられている。
【００２８】
次に図２（ｅ）に示す通り、ベルト先端部２０８をベルト通し穴Ａ２０３に通して、ベルト通し部２０５を通り、ベルト通し穴Ｂ２０４から表出させて、さらに「前ベルト通し穴Ｄ１０６」に通す。
【００２９】
そして、図２（ｆ）に示す通り、「前ベルト通し穴Ｄ１０６」に通したベルト先端部２０８を折り返し、面ファスナーフック起毛部２０７に沿わせて、ベルト部２０１の面ファスナーループ起毛部２０９を結合させる。ここまでの動作によって、グリップベルト部１０８は「後ベルト取り付け部１０３」と「前ベルト取り付け部１０５」に跨ってつながれる。
【００３０】
さらに、甲当て部２０２の前後位置は、図２（ｇ）のように自在に動くことが可能である。すなわち、ベルト通し部２０５内でベルト部２０１が自在に動くことが出来るために、甲当て部２０２はビデオカメラ１０１に対して取り付けられた状態でも移動が可能である。この移動動作に際して、面ファスナーを剥がす必要は一切無いことが特徴である。
【００３１】
また、手１０７の大きさや、ビデオカメラ１０１の大きさにあわせて、グリップベルト部１０８の長さを調節するためには、ベルト先端部２０８の甲当て部２０２に対する位置で調節が可能である。すなわち、図２（ｈ）に示す通り、ベルト先端部２０８を甲当て部２０２に対して図２（ｆ）よりも後方に結合すれば、グリップベルト部１０８は短くすることが可能である。
【００３２】
また、本発明におけるグリップベルト部１０８は、吊り輪（ストラップ）として片方のベルト通し穴Ａ２０３またはベルト通し穴Ｂ２０４に取り付けることが可能である。図２（ｉ）がその実施例である。すなわち、ベルト先端部２０８をベルト通し穴Ａ２０３またはベルト通し穴Ｂ２０４に通した後、ベルト部２０１の面ファスナーループ起毛部２０９と甲当て部２０２の面ファスナーフック起毛部２０７を結合させることで、図のような吊り輪を構成することが可能である。
【００３３】
本発明によるグリップベルト部１０８に於いては、「後ベルト取り付け部１０３」と「前ベルト取り付け部１０５」に対して、一対の結合手段、すなわちベルト部２０１上の面ファスナーと甲当て部２０２上の面ファスナーで構成することが可能である。このことは、グリップベルト部１０８を構成するために必要な部材が少なく済むだけでなく、小型化にも寄与している。
【００３４】
本実施例では結合手段として一対の面ファスナーで構成したが、本発明が適用可能な実施形態はこの限りではない。また、本実施例ではビデオカメラを例にグリップベルトを説明したが、本発明が適用可能な撮像装置はこの限りではなく、スチルカメラでも適用可能であることは言うまでも無い。
【図面の簡単な説明】
【００３５】
【図１】本実施例におけるビデオカメラの斜視図
【図２】グリップベルト部のビデオカメラ本体に対する取り付け方を詳説する図
【図３】従来の面ファスナーを両端に用いたグリップベルトの図
【図４】従来の日の字環を使用したグリップベルトの図
【図５】従来の専用の取り付け部を設けたグリップベルトの図
【図６】グリップベルトを通してビデオカメラを把持した図
【符号の説明】
【００３６】
１０１  ビデオカメラ
１０２  撮影レンズ開口部
１０３  後ベルト取り付け部
１０４  後ベルト通し穴Ｃ
１０５  前ベルト取り付け部
１０６  前ベルト通し穴Ｄ
１０８  グリップベルト部
２０１  ベルト部
２０２  甲当て部
２０３  ベルト通し穴Ａ
２０４  ベルト通し穴Ｂ
２０５  ベルト通し部
２０７  面ファスナーフック起毛部
２０８  ベルト先端部
２０９  面ファスナーループ起毛部
３０１、３０３、４０２、４０４、５０１、５０３  ベルト部
３０２、４０３、５０２  甲当て部
３０４、３０６、４０５、４０７、５０６  ベルト取り付け部
３０５、３０７、４０６、４０８、５０７  ベルト通し穴
３０８、３０９、４０９、５０８  面ファスナーループ起毛部
３１０、４１０、５０９  面ファスナーフック起毛部
４０１  日の字環
５０４  連結受け部
５０５  連結部
６０１  グリップベルト
６０２  ビデオカメラ
【図１】
0005219488.tif 000002
【図２】
0005219488.tif 000003
【図３】
0005219488.tif 000004
【図４】
0005219488.tif 000005
【図６】
0005219488.tif 000006
【図５】
0005219488.tif 000007